【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
特定の地域内に設置された無線が可能な装置へデータ信号を再配信するためのゲートウェイシステムであって、
バックホール通信接続部と通信し、前記ゲートウェイシステムによりサービスを受ける複数の無線が可能な装置への配信のために情報信号を受信するように適合させたバックホールインタフェースと、
前記特定の地域内で現在使用されていない帯域の１つ以上の断片を有するホワイトスペースチャンネルを識別するための帯域検出器と、
前記バックホールインタフェースと通信し、かつ、前記情報信号を受信し、処理し、および前記ゲートウェイシステムによりサービスを受ける無線が可能な装置へ配信するように適合させたデータ配信ユニットであって、前記情報信号は前記バックホールインタフェースから受信され、前記配信は前記ホワイトスペースチャンネルを通して起こる、データ配信ユニットと、
前記無線が可能な装置と前記データ配信ユニットとの間においてコントロールシグナリングを可能にするために、共有されたシグナリングチャンネルを提供するためのコントロールチャンネルプロセッサと、
を備える、システム。
【請求項２】
前記コントロールチャンネルプロセッサが、前記特定の地域で利用可能なホワイトスペースの一部内で前記共有されたシグナリングチャンネルのためのキャリアを選択する、請求項１に記載のシステム。
【請求項３】
前記コントロールチャンネルプロセッサが、前記特定の地域で利用可能なホワイトスペースの特定の部分の中の前記共有されたシグナリングチャンネルのためのキャリアを選択する、請求項１に記載のシステム。
【請求項４】
前記ホワイトスペースの特定の部分が、ＡＴＳＣチャンネル２、３および４のうち１つのために確保された帯域内にある、請求項３に記載のシステム。
【請求項５】
前記ホワイトスペースの特定の部分が、前記特定の地域内で未使用のＡＴＳＣチャンネルのうち１つのために確保された帯域内にある、請求項３に記載のシステム。
【請求項６】
前記共有されたシグナリングチャンネルのキャリア周波数が、ＡＴＳＣチャンネルの開始と固定された関係において選択される、請求項２に記載のシステム。
【請求項７】
前記コントロールシグナルプロセッサが、前記データ配信ユニットによりサービスを受ける前記装置の数に基づき、前記共有されたシグナリングチャンネルの帯域幅を判断する、請求項１に記載のシステム。
【請求項８】
前記共有されたシグナリングチャンネルの帯域幅が３００ｋＨｚである、請求項７に記載のシステム。
【請求項９】
前記コントロールシグナルプロセッサが、前記共有されたシグナリングチャンネルを通して、ダウンリンクメッセージを現在サービスする前記装置へ一定に放送する、請求項１に記載のシステム。
【請求項１０】
前記ダウンリンクメッセージがＴＤＤフレーム内で運ばれる、請求項９に記載のシステム。
【請求項１１】
ダウンリンクメッセージが、それぞれの装置にアクセス情報を提供する、請求項１０に記載のシステム。
【請求項１２】
ダウンリンクメッセージが、それぞれの装置が前記データ配信ユニットにより配信される前記情報信号を受信することを可能にするために、前記装置に周波数および時間情報を提供する、請求項１０に記載のシステム。
【請求項１３】
前記装置が、前記共有されたシグナリングチャンネル上で送信されたアップリンクフレームを共有する、請求項１に記載のシステム。
【請求項１４】
前記アップリンクメッセージがＴＤＤフレーム内で運ばれる、請求項１３に記載のシステム。
【請求項１５】
それぞれの装置により送信されるアップリンクメッセージが、アクセス要求データを含む、請求項１４に記載のシステム。
【請求項１６】
装置と接続を確立すると、前記データ配信ユニットが、前記接続の持続時間にわたり前記ホワイトスペースチャンネルを確保する、請求項１に記載のシステム。
【請求項１７】
前記データ配信ユニットが、サービスする前記装置との通信のために確保されたホワイトスペース帯域についての情報と共に、帯域確保シンボルを、予め定められた時間の間隔を置いて放送する、請求項１に記載のシステム。
【請求項１８】
前記帯域確保シンボルが、特定の場所の近傍内で作動している全てのデータ配信ユニットに共通の帯域確保ＯＦＤＭシンボルである、請求項１７に記載のシステム。
【請求項１９】
前記帯域確保シンボルが、Δｆ＝２００ｋＨｚおよび離散フーリエ変換サイズＮ＝１３７０の間隔をあけたサブキャリアを使用する、請求項１８に記載のシステム。
【請求項２０】
前記データ配信ユニットが、確保した帯域上のビットマップを送信する、請求項１８に記載のシステム。
【請求項２１】
前記データ配信ユニットが、指定された時間および周波数グリッドを使用して、装置への前記情報信号の配信を開始する、請求項１８に記載のシステム。
【請求項２２】
前記データ配信ユニットにより確保された前記ホワイトスペース帯域が、区分インデックススキームを使用して、前記帯域確保シンボルを通じて通知される、請求項１７に記載のシステム。
【請求項２３】
前記区分インデックススキームが、ＤＴＶ放送のために確保された帯域内のホワイトスペース部分を識別する、請求項２２に記載のシステム。
【請求項２４】
前記区分インデックススキームが、帯域Ｔ２〜Ｔ５の４つの断片のそれぞれについてのインデックスを使用してホワイトスペースを識別する、請求項２３に記載のシステム。
【請求項２５】
前記区分インデックススキームが、３０区分を使用してＡＴＳＣチャンネルのために確保された帯域幅をアドレス付けする、請求項２４に記載のシステム。
【請求項２６】
ゲートウェイから特定の地域内に配置された複数の無線が可能な装置へデータ信号を再配信するための前記ゲートウェイを操作する方法であって、
ａ）開始時、前記特定の地域内で現在使用されていない帯域の断片を通して共有されたシグナリングチャンネルを、前記ゲートウェイにより確立することと、
ｂ）前記共有されたシグナリングチャンネルを通して送信された、無線が可能な装置からのサービス要求の受信の際に、前記ゲートウェイが、前記特定の地域内で現在使用されていない帯域の１つ以上の断片を使用してホワイトスペースチャンネルを確立することと、
ｃ）バックホール接続を通して、前記サービス要求に応答する情報信号を前記ゲートウェイで受信することと、
ｄ）前記ホワイトスペースチャンネルを通して前記情報信号を前記無線が可能な装置へ配信することと、
ｅ）前記共有されたシグナリングチャンネルを通してコントロールメッセージを交換することにより、前記無線が可能な装置への前記情報信号の伝達を制御することと、
を含む、方法。
【請求項２７】
ステップａ）が、
帯域の前記断片を識別するために前記帯域の選択された部分のスキャンすることと、
ＡＴＳＣ仕様により定義された周波数マークと予め選択された関係にある前記共有されたシグナリングチャンネルのためのキャリア周波数を選択することと、
を含む、請求項２６に記載の方法。
【請求項２８】
前記帯域の選択された部分が、ＡＴＳＣチャンネルと一定の関係内で特定される、請求項２７に記載の方法。
【請求項２９】
ステップｅ）が、前記無線が可能な装置が指定された時間からおよび指定された周波数で開始する前記情報信号を受信するのを可能にするために、前記ホワイトスペースチャンネルのパラメータを伴うダウンリンクコントロールメッセージを前記シグナリングチャンネル上で前記無線が可能な装置へ送信することを含む、請求項２６に記載の方法。
【請求項３０】
前記ホワイトスペースチャンネルの前記パラメータが、キャリア周波数、開始時間および帯域幅を含む、請求項２９に記載の方法。
【請求項３１】
前記ホワイトスペースチャンネルの前記パラメータが、ビットマップの形態で前記無線が可能な装置へ送信される、請求項２９に記載の方法。
【請求項３２】
前記ホワイトスペースチャンネルの前記パラメータを伴う前記ダウンリンクコントロールメッセージが、データ送信のために前記無線が可能な装置により使用されることになっている時間間隔、および前記時間間隔の間に使用されることになっている周波数バンドを特定する周波数−時間グリッドの形態で提供される、請求項２９に記載の方法。
【請求項３３】
前記共有されたシグナリングチャンネルの帯域幅が５００ｋＨｚである、請求項２６に記載の方法。
【請求項３４】
前記共有されたシグナリングチャンネルがＴＤＤチャンネルである、請求項２６に記載の方法。
【請求項３５】
ゲートウェイによりサービスを受ける特定の地域内に配置された無線が可能な装置へデータ信号を再配信するための前記ゲートウェイを操作する方法であって、
ａ）１つ以上の装置からのサービス要求の前記ゲートウェイでの受信の際に、前記ゲートウェイが前記特定の地域内で現在使用されていない帯域内の対応する数のホワイトスペースチャンネルを識別することと、
ｂ）前記特定の地域内で識別された前記ホワイトスペースチャンネルに割り当てられたホワイトスペースを確保することと、
ｃ）全ての近接したゲートウェイに前記特定の地域内の現在のチャンネル割り当てを通知するために、ホワイトスペース割り当てメッセージを前記ゲートウェイにより放送することと、
ｄ）バックホール接続を通して、前記サービス要求に応答する情報信号を前記ゲートウェイにより受信することと、
ｅ）前記ホワイトスペースチャンネルを通して前記情報信号をそれぞれの装置へ配信することと、
を含む、方法。
【請求項３６】
前記ホワイトスペース割り当てメッセージが、共通の帯域確保ＯＦＤＭシンボルの形態で放送される、請求項３５に記載の方法。
【請求項３７】
前記共通の帯域確保ＯＦＤＭシンボルが、Δｆ＝２００ｋＨｚおよびフーリエ変換のサイズＮがＮ＝１３７０の間隔をあけたサブキャリアを使用する、請求項３６に記載の方法。
【請求項３８】
前記ホワイトスペース割り当てメッセージが、区分インデックススキームを使用して確保された帯域を識別する、請求項３５に記載の方法。
【請求項３９】
前記区分インデックススキームが、帯域Ｔ２〜Ｔ５の４つの断片のそれぞれについてのインデックスを使用して前記ホワイトスペースを識別する、請求項３８に記載の方法。
【請求項４０】
前記区分インデックススキームが、３０区分を使用してＡＴＳＣチャンネルのために確保された帯域幅をアドレス付けする、請求項３８に記載の方法。